(57)【特許請求の範囲】
【請求項１】
セラミック一体片歯科用インプラント（１，２，３，４）であって、
歯科用修復物を歯科用インプラント（１，２，３，４）に嵌合係合するために前記歯科用インプラント（１，２，３，４）の冠状端（１１１，２１１，３１１，４１１）に配置された第一部分（１１０，２１０，３１０，４１０）、及び
前記第一部分（１１０，２１０，３１０，４１０）と第二部分（１２０，２２０，３２０，４２０）との間の冠状縁（１２１，２２１，３２１，４２１）で前記第一部分（１１０，２１０，３１０，４１０）に接触隣接する第二部分（１２０，２２０，３２０，４２０）
を一体的に含み、
第二部分（１２０，２２０，３２０，４２０）がある幅を持ちかつ前記歯科用インプラント（１，２，３，４）の前記冠状端（１１１，２１１，３１１，４１１）から頂端的に配置され、
前記冠状縁（１２１，２２１，３２１，４２１）を含む曲率が、前記幅が実質的に維持されながら少なくとも前記第二部分（１２０，２２０，３２０，４２０）からの材料の除去により調整可能であり、
セラミック一体片歯科用インプラントが、埋入時に連結組織に配置されるように構成された、前記第二部分に頂端的に接触隣接する腰部形状の第三部分をさらに含み、前記第二部分（１２０，２２０，３２０，４２０）が、前記歯科用インプラント（１，２，３，４）の埋入時に軟組織と上皮接触で配置されるように構成されており、
前記第二部分が、前記冠状縁から少なくとも部分的に前記歯科用インプラントの縦軸に平行に頂端的に延びる実質的に真直ぐな部分を含み、
前記実質的に真直ぐな部分が、前記冠状縁（１２１，２２１，３２１，４２１）から前記歯科用インプラントの全周に沿って前記歯科用インプラントの縦軸に平行に頂端的に延び、
前記腰部形状の第三部分が、少なくとも一つの頂点と少なくとも一つの谷を持つスカラップ形状であり、
前記腰部形状の第三部分の冠状縁と前記腰部形状の第三部分の頂端縁がともにスカラップ形状に曲がっていることを特徴とする歯科用インプラント（１，２，３，４）。
【請求項２】
前記埋入時に骨組織に配置されるように構成された、前記歯科用インプラント（１，２，３，４）の頂端に向けて頂端的に前記第三部分（１３０，２３０，３３０，４３０）に接触隣接する第四部分（１４０，２４０，３４０，４４０）をさらに含むことを特徴とする請求項１に記載の歯科用インプラント（１，２，３，４）。
【請求項３】
前記第三部分（１３０，２３０，３３０，４３０）及び／または前記第四部分（１４０，２４０，３４０，４４０）が、埋入時の連結組織との一体化または前記歯科用インプラント（１，２，３，４）のオッセオインテグレーションを改善するために粗面化された表面を持つことを特徴とする請求項２に記載の歯科用インプラント（１，２，３，４）。
【請求項４】
前記第二部分（１２０，２２０，３２０，４２０）が、使用時に前記軟組織の方に配向された外部表面を持ち、その外部表面が、前記腰部形状の第三部分（１３０，２３０，３３０，４３０）の外部表面の表面粗さより少ない粗さの表面粗さを持つことを特徴とする請求項１〜３のいずれかに記載の歯科用インプラント（１，２，３，４）。
【請求項５】
前記歯科用インプラントが、前記第二部分の前記軟組織の高さに対応する前記第二部分の高さを得るためにかつ前記歯科用修復物の前記嵌合係合が保持されるように、少なくとも前記第二部分（１２０，２２０，３２０，４２０）からの材料の除去により調整可能であることを特徴とする請求項１〜４のいずれかに記載の歯科用インプラント（１，２，３，４）。
【請求項６】
前記曲率が、前記軟組織の局所解剖学的形状に依存して前記実質的に真直ぐな部分からの材料の除去により前記歯科用インプラントの前記全周に沿って調整可能であることを特徴とする請求項１〜５のいずれかに記載の歯科用インプラント（１，２，３，４）。
【請求項７】
前記曲率が環状形のものであることを特徴とする請求項１〜６のいずれかに記載の歯科用インプラント（１）。
【請求項８】
前記曲率がスカラップの形で与えられることを特徴とする請求項１〜７のいずれかに記載の歯科用インプラント（３，４）。
【請求項９】
前記スカラップが、前記歯科用インプラントの設置を容易にするために前記第四部分のねじ山の冠状端より冠状的に位置される最も頂端的に位置された点を持つことを特徴とする請求項８に記載の歯科用インプラント（３，４）。
【請求項１０】
前記ねじ山の前記冠状端が、患者の顎骨の前記歯科用インプラントのためのプレパレーションと前記腰部形状の第三部分（４３０）の冠状外部境界表面との間の交点に頂端的に設けられていることを特徴とする請求項９に記載の歯科用インプラント（４）。
【請求項１１】
前記第二部分が、０．２〜２ｍｍ、例えば１．６ｍｍの高さを持ち、かつ前記第三部分の最小直径から０．１ｍｍ〜１ｍｍ、例えば０．４ｍｍ突出することを特徴とする請求項１〜１０のいずれかに記載の歯科用インプラント。
【請求項１２】
前記第一部分が前記歯科用インプラントの前記冠状端に配置された平坦表面（１１２，２１２，３１２，４１２）をさらに含み、第一部分がインプラントの縦軸に対して角度が付いており、平坦表面が角度をさらに増大するように配置されていることを特徴とする請求項１〜１１のいずれかに記載の歯科用インプラント（２，３，４）。
【請求項１３】
請求項１〜１２のいずれかに記載の複数の歯科用インプラントのキットであって、前記複数の前記歯科用インプラントのそれぞれが少なくとも異なった第二部分及び／または第三部分を持つことを特徴とする歯科用インプラントのキット。
【請求項１４】
請求項１〜１２のいずれかに記載のセラミック一体片歯科用インプラントを製造するための方法において、
歯科用修復物を前記歯科用インプラントに嵌合係合するために前記歯科用インプラントの冠状端に配置された第一部分、前記歯科用インプラントの前記冠状端から頂端的に配置されたショルダーの冠状縁で前記第一部分に接触隣接する第二部分、前記埋入時に連結組織に配置するように構成された、頂端的に前記第二部分に接触隣接する第三部分、及び前記埋入時に骨組織に配置するように構成された、前記歯科用インプラントの頂端に向けて頂端的に前記第三部分に接触隣接する第四部分を持つ前記歯科用インプラントを製造することを特徴とし、
前記第二部分（１２０，２２０，３２０，４２０）が、前記歯科用インプラント（１，２，３，４）の埋入時に軟組織と上皮接触で配置されるように構成されており、
前記第二部分が、前記冠状縁から少なくとも部分的に前記歯科用インプラントの縦軸に平行に頂端的に延びる実質的に真直ぐな部分を含み、
前記実質的に真直ぐな部分が、前記冠状縁（１２１，２２１，３２１，４２１）から前記歯科用インプラントの全周に沿って前記歯科用インプラントの縦軸に平行に頂端的に延び、
前記第三部分が腰部形状であり、かつ少なくとも一つの頂点と少なくとも一つの谷を持つスカラップ形状であり、
前記腰部形状の第三部分の冠状縁と前記腰部形状の第三部分の頂端縁が前記第四部分への移行部でともにスカラップ形状に曲がっている、方法。
【請求項１５】
前記軟組織の高さに対応する前記第二部分の高さを得るために前記第二部分から材料を除去することにより前記第一部分と前記第二部分との間の前記ショルダーの前記冠状縁を含む曲率を調整することをさらに含み、前記第二部分が前記歯科用インプラントの埋入時に軟組織と上皮接触で配置するように構成されていることを特徴とする請求項１４に記載の方法。
【請求項１６】
前記歯科用インプラントを焼結する前に前記第二部分の外部表面を機械加工することをさらに含むことを特徴とする請求項１４に記載の方法。
【請求項１７】
前記第三部分の外部表面及び／または前記第四部分の外部表面が前記第二部分の前記外部表面の表面粗さより粗い表面粗さを持つように前記第三部分の外部表面及び／または前記第四部分の外部表面を粗面化することをさらに含むことを特徴とする請求項１６に記載の方法。
【請求項１８】
請求項１〜１２のいずれかに記載のセラミック一体片歯科用インプラント、及び歯科用修復物を含む歯科用埋入物を製造するための方法において、前記方法が前記歯科用修復物を、それが前記歯科用インプラントの第一部分と嵌合的に係合可能であるようにかつ前記歯科用インプラントの第二部分の調整された曲率に依存して製造することを含むことを特徴とする方法。
【請求項１９】
前記歯科用インプラントが請求項１４〜１７のいずれかに記載の方法により製造されることを特徴とする請求項１８に記載の方法。
【発明の詳細な説明】
【技術分野】
【０００１】
本発明は一般的に歯科用インプラントの分野に関する。より詳細には、本発明はセラミック一体片歯科用インプラントに関する。
【背景技術】
【０００２】
歯科用インプラントに腰部形状をしたアバットメント部分を持たせることは早くから知られている。例えば本出願と同じ出願人のＷＯ０５０７２６３９Ａは、補綴修復物を支持することを意図された歯科用インプラントのための経粘膜構成要素を開示する。この経粘膜要素は腰部形状のまたは内向きに狭くなった部分を持ち、この部分はその縦方向の距離が軟組織に隣接するために必要な幅に対応する表面との接触を持っている。腰部形状のまたは内向きに狭くなった部分は歯科用インプラントの経粘膜構成要素の必要な高さを減らし、軟組織を安定化するための容積及び軟組織の固定ベルトを発生する。腰部形状のまたは内向きに狭くなった部分の接触表面に沿った縦方向の距離は軟組織に隣接するのに必要な幅に対応する。従って、顎骨及び歯茎にうまく固定され、かつ顎骨または歯茎及び経粘膜構成要素またはフィクスチャーの隣接部分間の優れたかつ恒久的な一体化度を可能にし、並びに骨吸収及び陥没傾向を避ける歯科用ユニットが形成される。
【０００３】
腰部形状のアバットメント部分が二体片設計として提供される。二体片設計は、特定の患者の局所解剖学的形状に近い好適なアバットメントを選ぶことにより種々の患者の局所解剖学的形状に関して柔軟であるという利点を提供する。かかる態様では、単一タイプのインプラントが、交換可能なアバットメント部分により広範囲の患者の局所解剖学的形状をカバーする。しかし、二体片設計は機械的強度に関して不利であるかもしれない。二体片設計はまた、アバットメントとインプラントの間の継目の不利を持つ。この継目は、特に負荷を受けたときに封止されないことが多い。続いて起こる洩れは周囲の軟組織の炎症を誘発するかもしれない。
【０００４】
曲がった形状のスカラップ型歯科用インプラントがＷｏｈｒｌｅのＷＯ２００６０８１２３９から知られており、それは歯科用補綴物を支持するための歯科用インプラント装置を開示する。この装置は歯科用インプラント及びアバットメントを含む。歯科用インプラントは本体部分、カラー部分及び中心孔を含む。本体部分は歯科用インプラントの頂点端に設けられ、かつ少なくとも実質的に患者の顎骨の稜の下に位置するように構成されている。カラー部分は歯科用インプラントの冠状端に設けられ、かつ略スカラップ形状を持つ外部縁を規定する上部表面を形成する。アバットメントは下方部分を含み、かつ中心孔、及びインプラントの上部表面上に延びる上方部分に嵌るように構成されている。最終修復物はアバットメントの上に取付けられるように構成されている。最終修復物及びアバットメントは、それらが歯科用インプラント上に配置されるときに上部表面の少なくとも一部分が露出されるように構成されている。歯科用インプラントに開示されたインプラントはＷＯ２００６０８１２３９により知られているが、また二体片インプラントの一般的な不利を被る。
【０００５】
さらに、たとえ広範囲に各種取り揃えたアバットメントが利用可能であっても、高精度で全ての患者の局所解剖学的形状をカバーすることはできないであろう。ある状況では、歯科医は利用できるアバットメント、インプラントの美学及び機能の間の妥協としてアバットメントを選ぶ。従って、二体片インプラントに基づく歯科用修復は、少なくとも美的観点から必ずしも満足されるものでないかもしれない。
【０００６】
かかる不利な継目を持たない歯科用インプラントを提供するために、一体片歯科用インプラントが開発された。例えば本出願と同じ出願人のＷＯ０３１０３５２７は、歯科用補綴物を支持するための歯科用インプラントを開示する。この歯科用インプラントは一体片から作られた本体部分とアバットメント部分を持つ。この歯科用インプラントはさらに、粗面化された表面を含む。歯科用インプラントが患者の顎骨中に設置されるとき、粗面化された表面は顎骨の稜の上に延びる。このようにしてＷＯ０３１０３５２７で開示された歯科用インプラントは歯科用インプラントと患者の歯茎の間の良好なオッセオインテグレーション及び強化された組織付着を提供する。しかし、二部品インプラントが持つような、患者の特定の局所解剖学的形状への特別な解決を提供することは実際に実行できないかもしれない。一体片インプラントはアバットメント部分のような交換可能な部分を排除するので、広範囲のインプラントが全ての可能な患者状況及び局所的解剖学的形状のために提供されなければならない。異なる形状の歯科用インプラントの広範囲に各種取り揃えた異なる形状の歯科用インプラントを使用したとしても、高い精度で全ての患者の局所解剖学的形状をカバーすることは困難であることを証明するかもしれない。
【０００７】
歯冠、一時的な歯冠、ブリッジまたは別の歯科用修復物を歯科用インプラントに取付けるとき、それは歯科用インプラントに歯科用セメントまたは接着剤により固定される。歯科用インプラントと隣接する歯科用修復物の間の隙間を避けるために、過剰の歯科用セメントまたは接着剤が使用され、それは硬化する前に二つの要素間の隙間から流出する。過剰の歯科用セメントまたは接着剤は既知のインプラントを流下し、かつ除去するのが困難であるかもしれず、またはさらに歯科用セメントまたは接着剤に到達し得ないポケットを形成し、そして炎症、インプラントの欠陥のような種々の問題を起こすかもしれない。
【０００８】
別の一体片歯科用インプラントがＷＯ０２４５６１５に開示されており、それは単一インプラント本体にフィクスチャーとアバットメントを含む。このインプラントは上部アバットメント部分、顎骨内に埋入されたフィクスチャー部分、及びアバットメント部分とフィクスチャー部分の間に形成された定着部分を含み、上部アバットメント部分上に義歯が固定され、フィクスチャー部分には単一または二つのねじ山が形成されている。しかし、このインプラントもまた、柔軟性不足に関して不利を被る。さらに、一体片歯科用インプラントは患者の解剖学的構造の特定の状況に対して調整許容度を持たない。プレパレーションラインは、ＷＯ０２４５６１５に開示された歯科用インプラントの腰部部分に直接移行される。これは、上述のように、歯科用セメントで充たされたポケットの形成に寄与する。かかる歯科用セメントで充たされたポケットの除去は実際に困難である。
【０００９】
従って、改善されたセラミック一体片歯科用インプラント、特に異なる患者の局所解剖学的構造に関して柔軟であり、従って柔軟性及び費用効果性を増大することができるような利点を提供するセラミック一体片歯科用インプラントが有利であるだろう。
【発明の概要】
【発明が解決しようとする課題】
【００１０】
従って、本発明の実施態様は、単独でまたはいずれかの組合せで上で述べたような従来技術の一つまたはそれより多くの欠陥、不利または問題を、添付特許請求項に従って、歯科用インプラント、かかるインプラントのキット、歯科用インプラントを製造する方法、かかる歯科用インプラントを含む歯科用設備を作る方法、及び患者の口腔内にかかる歯科用インプラントを設置する方法を提供することにより、軽減し、緩和しまたは排除することを探求することが好ましい。
【００１１】
本発明の第一態様によれば、セラミック一体片歯科用インプラントが提供される。この歯科用インプラントは、歯科用修復物を歯科用インプラントに嵌合係合するために歯科用インプラントの冠状端に配置された第一部分、及び第一部分と第二部分の間の冠状縁で第一部分に接触隣接する第二部分を一体的に含み、第二部分がある幅を持ちかつ歯科用インプラントの冠状端から頂端的に配置され、冠状縁を含む曲率は、幅が実質的に維持されながら少なくとも第二部分からの材料の除去により調整可能である。
【００１２】
第二部分は、歯科用インプラントの埋入時に軟組織と上皮接触状態で配置されるように構成されることができる。
【００１３】
本発明の第二態様によれば、歯科用インプラントのキット及びその挿入のためのツールが提供される。この歯科用インプラントは、歯科用インプラントの冠状的に配置された平坦表面を持つ。このツールは歯科用インプラントにツールを回転可能に固定するために歯科用インプラントの平坦表面とかみ合い係合するように頂端的に配置された平坦表面を持つ。
【００１４】
本発明の第三態様によれば、本発明の第一態様による複数の歯科用インプラントを含むキットが提供される。このキットの歯科用インプラントは少なくとも異なる第二部分及び／または第三部分を持つ。第二部分はそこからの材料の除去可能性のおかげで、患者の局所的解剖学的形状に対して調整可能であるので、限られた数の歯科用インプラントを持つ万能キットが種々の患者状況のために提供される。
【００１５】
本発明の第四態様によれば、本発明の第一態様によるセラミック一体片歯科用インプラントを製造する方法が提供される。この方法は、歯科用インプラントに歯科用修復物を嵌合係合するための歯科用インプラントの冠状端に配置された第一部分、歯科用インプラントの冠状端から頂端的に配置されたショルダーの冠状縁で第一部分と接触隣接する第二部分、埋入時に連結組織への配置のために構成された第二部分に頂端的に接触隣接する第三部分、及び埋入時に骨組織への配置のために構成された歯科用インプラントの頂端に向けて頂端的に第三部分に接触隣接する第四部分を持つ歯科用インプラントを製造することを含む。
【００１６】
第二部分は、歯科用インプラントの埋入時に軟組織と上皮接触状態で配置するように構成されることができる。
【００１７】
本発明の第五態様によれば、本発明の第一態様によるセラミック一体片歯科用インプラント及び歯科用修復物を含む歯科用埋入物を作る方法が提供される。この方法は、歯科用修復物が歯科用インプラントの第一部分とかつ歯科用インプラントの第二部分の調整された曲率に依存して嵌合的に係合可能であるように歯科用修復物を作ることを含む。歯科用インプラントは本発明の第四態様による方法により製造されることができる。
【００１８】
本発明の第六態様によれば、患者の口腔内にセラミック一体片歯科用インプラントを設置する方法が提供される。この方法は、歯科用インプラントの第二部分を軟組織と上皮接触状態で配置することを含み、そこでは第二部分は冠状縁で第一部分に接触隣接し、この第二部分はある幅を持ちかつ歯科用インプラントの冠状端から頂端的に配置され、かつこの第一部分は歯科用修復物を歯科用インプラントに嵌合係合するために歯科用インプラントの冠状端に配置され、さらに第一部分と第二部分の間のショルダーの冠状縁を含む曲率を第二部分の幅が実質的に維持されながら少なくとも第二部分から材料を除去することにより調整することを含む。
【００１９】
この方法は、歯科用インプラントの第二部分を軟組織と上皮接触状態で配置することを含むことができる。
【００２０】
本発明のさらなる実施態様は従属請求項に規定され、そこでは本発明の第二及び続く態様に対する特徴は第一態様に関するものである。
【００２１】
本発明の幾つかの実施態様は異なる患者の局所解剖学的形状に関してフレキシビリティを与える。
【００２２】
幾つかの実施態様は、過剰の歯科用セメントまたは接着剤の除去、並びにそれらを含むポケットの形成の除去を容易にする歯科用インプラントを提供する。
【００２３】
幾つかの実施態様は、広範囲の患者状況を少しの基本的なインプラントでカバーするために基本的な幾何学的形状及び調整許容度を持つ複数の歯科用インプラントを提供する。
【００２４】
本発明の幾つかの実施態様はまた、歯科用インプラント及び歯科用修復物の有利な審美性を提供する。
【００２５】
この明細書で使用される用語「含む／含んでいる（ｃｏｍｐｒｉｓｅ／ｃｏｍｐｒｉｓｉｎｇ）」は、述べられた特徴、整数、工程または構成要素の存在を特定するものと取られるが、一つまたはそれより多くの他の特徴、整数、工程、構成要素またはそれらの群の存在または追加を排除しないことは強調されるべきである。
【図面の簡単な説明】
【００２６】
本発明の実施態様のこれらの及び他の態様、特徴及び利点は、添付図面を参照すれば本発明の実施態様の以下の説明から明らかとなるであろうし、かつ明らかにされるであろう。
【図１】図１Ａ，１Ｂ，１Ｃはそれぞれ、ある歯科用インプラントの側面図、正面図及び透視図である。図１Ｄは、図１Ａの歯科用インプラントの上部の拡大側面図である。
【図２】図２Ａ，２Ｂ，２Ｃはそれぞれ、ある歯科用インプラントの側面図、正面図及び透視図である。図２Ｄは、図２Ａの歯科用インプラントの上部の拡大側面図である。
【図３】図３Ａ，３Ｂ，３Ｃはそれぞれ、ある歯科用インプラントの側面図、正面図及び透視図である。図３Ｄは、図３Ａの歯科用インプラントの上部の拡大側面図である。
【図４】図４Ａ，４Ｂ，４Ｃはそれぞれ、ある歯科用インプラントの側面図、正面図及び透視図である。図４Ｄは、図４Ａの歯科用インプラントの上部の拡大側面図である。
【図５】図５ａ−ｄは、側面図であり、各々は、ある歯科用インプラント及びそれに固定される回転ツールを示す。
【発明を実施するための形態】
【００２７】
本発明の特定の実施態様が今や添付図面に関して説明されるであろう。しかし、本発明は多くの異なる形態で具体化されることができ、ここに記載された実施態様に限定されるものと解釈されるべきでなく、むしろこれらの実施態様は、この開示が十分かつ完全であり、かつ本発明の範囲を当業者に完全に伝達するように提供される。添付図面に示された実施態様の詳細な説明で使用された用語は、本発明の限定であることを意図していない。図面において、同様な数字は同様な要素を指す。
【００２８】
以下の説明は、歯科用インプラントに、特に一体片セラミック歯科用インプラントに適用可能な本発明の一実施態様に焦点を当てている。しかし、本発明はこの用途に限定されないことが認識されるであろう。
【００２９】
さて図面に戻ると、一体片セラミック歯科用インプラント１の一実施態様が図１Ａ−１Ｄに示されている。歯科用インプラント１は、
歯科用修復物（図示せず）を歯科用インプラント１に嵌合係合するために、取付けるために、または連結するために歯科用インプラント１の冠状端１１１に配置された第一部分１１０；及び
歯科用インプラント１の冠状端１１１から頂端的に配置されたショルダーの冠状縁１２１で第一部分１１０と接触隣接する第二部分１２０、但し第二部分１２０は歯科用インプラント１の埋入時に軟組織と上皮接触状態で配置されるように構成されている；
埋入時に連結組織内に配置されるように構成された第二部分１２０に頂端的に接触隣接する第三部分１３０；及び
埋入時に骨組織内に配置されるように構成された歯科用インプラントの頂端１４２に向けて頂端的に第三部分に接触隣接する第四部分１４０；
を一体的に含む。
【００３０】
第三部分１３０は、歯科用インプラント１の第二部分１２０の外部表面の表面粗さより粗い表面粗さを持つ外部表面を備えている。従って、第三部分１３０のより粗い表面は埋入時に連結組織と一体化するためにより適している。
【００３１】
第二部分１２０は、第三部分１３０及び／または第四部分１４０より滑らかな外部表面を持ち、それは、例えば歯科用インプラント１を焼結する前に機械加工されるセラミック表面により達成される。
【００３２】
第四部分は、第二部分１２０より粗い表面粗さを持つ外部表面を持つ。
【００３３】
第三部分１３０及び第四部分１４０の表面粗さは、本出願と同じ出願人のＷＯ２００５／０２７７７１に開示されるような多孔性被膜として提供されることができる。この表面はＺｉｕｎｉｔｅ（登録商標）表面として商業的に知られている。
【００３４】
第一部分１１０と第二部分１２０の間のショルダーの冠状縁１２１を含む面取り部分１１４は、周囲の軟組織に対応する高さを維持するように第二部分１２０からの材料の除去により調整可能であり、このようにして歯科用修復物との嵌合係合が保持される。第二部分１２０はショルダー形成され、ある幅を持つ。この幅は、第二部分１２０の設計のためにそこから材料を除去するときに実質的に維持される。
【００３５】
以下、歯科用インプラント１をさらに詳細に説明する。歯科用インプラント１はジルコニアまたはアルミナのようなセラミック材料から一体片で作られ、これらの部分の異なる機能の結果として複数の部分に分割される。
【００３６】
歯科用インプラント１の冠状端１１１の第一部分１１０は、補綴修復物、単独歯冠、または歯科用インプラント１へのブリッジのような歯科用修復物に取付けるため、連結するため、または嵌合係合のために構成されている。歯科用修復物は、歯科用インプラント１の周囲の骨組織及び軟組織内への埋入後に歯科用インプラント１に取付けられる。歯科用修復物の取付けは通常、歯科用セメントまたは接着剤のような好適な接着材料を用いることによりなされる。
【００３７】
歯科用修復物が固定される第一部分１１０は、歯科用インプラント１の縁部分を形成するための面取り部分１１４を含む。第一部分１１０の上方部分は、歯科用修復物を取付けるためまたは挿入ツールを受けるための切頭円錐形状ユニットを形成する減少した直径を持つ。切頭円錐形状ユニットは、部分的に円錐形の外部表面１１３及び歯科用インプラント１の縦軸に実質的に平行に配向されている実質的に平坦な外部表面１１２からなる周囲を持つ。従って、歯科用インプラント１の第一部分１１０は、補綴修復物、単独歯冠、またはブリッジのような歯科用修復物を固定するために適合している。
【００３８】
平坦表面１１２は幾つかの目的の役割を持つ。それは挿入ツールと共働して設置時にトルク伝達を提供する非円形特徴としての役割を持つ（図５参照）。さらに、それは角度付きインプラントのための偏向角度を増大するために配向されている。すなわち歯科用修復物は第一部分１１０上に歯科用インプラント１の縦軸からそれる方向に配置される。例えば、平坦表面１１２は、歯冠の角度付き配向が提供可能なように口腔の外側に向けて配向される。
【００３９】
加えて、平坦表面１１２は、歯科用インプラント１の第一部分１１０上にセメント接着される最終歯冠の規定された位置を与える。平坦表面１１２及び歯冠の対応する平坦表面を含む第一部分１１０の外部表面と合致する歯冠の内部表面のおかげで、インプラントに対する歯冠の正確な配向が提供される。
【００４０】
実施態様では、歯科用インプラントの第一部分の部分的に円形の外部表面１１３は実質的に歯科用インプラントの縦軸に沿って配向されている。幾つかの実施態様では、外部表面は歯科用インプラントの中心に向かって冠方向に傾くことができる。この態様では、歯科用インプラントの患者の顎骨組織内の孔中への設置のための回転ツールの解放可能な取付けをなお維持しながら、上述の偏向角度が提供可能である。
【００４１】
歯冠縁１２１で第一部分１１０に接触隣接する第二部分１２０は歯科用インプラント１の冠状端１１１から頂端的に配置される。冠状縁１２１は第一部分１１０と第二部分１２０との間に配置される。歯科用インプラント１の埋入により、第二部分１２０は口腔と顎骨組織の頂部の軟組織との間の境界に口腔の歯茎ラインに実質的に追従する縁１２１を持つように配置される。第二部分１２０の頂端縁１２３は第三部分１３０の冠状端に配置される。第二部分１２０は埋入により軟組織の上皮と接触状態にあるであろう。第二部分１２０は例えば歯垢の蓄積を避けるために滑らかな表面粗さを持つ。好適な滑らかな表面粗さは、例えば焼結前後に処理されていない機械加工したセラミック表面により提供される。従って、第二部分１２０の外側表面は歯茎の上皮と共働することができ、一方、以下に述べられる第三部分１３０は歯茎の連結軟組織と共働する。従って、歯垢付着は制限され、上皮軟組織及び連結軟組織との結合が提供される。加えて、第二部分１２０は埋入後でさえ容易に接近可能であるので、過剰な歯科用セメントまたは接着剤の除去が容易にされる。歯冠と第一部分１１０の間の界面隙間から第二部分１２０に流れうる過剰歯科用セメントまたは接着剤は、歯科用関係者に知られている除去方法によりかつ除去ツールにより容易に除去される。
【００４２】
歯科用インプラント１の第二部分１２０は、冠状縁１２１から歯科用インプラント１の縦軸１０１に平行に、実質的に真直ぐに頂端縁１２３に向けて頂端的に延びる部分１２２を含む。第二部分１２０は実質的に真直ぐでありかつ冠状縁１２１から歯科用インプラント１の全環状周囲に沿って頂端的に延びる。その曲率は、歯科用インプラント１の埋入により実質的に真直ぐな第二部分１２０を包囲する軟組織の局所的解剖学的形状に依存して実質的に真直ぐな第二部分１２０からの材料の除去により歯科用インプラント１の全周囲に沿って調整可能である。
【００４３】
第一部分１１０の面取り部分１１４と第二部分１２０の間のショルダーの冠状縁１２１の曲率は、包囲する軟組織に対応する希望の高さを維持するためにかつ歯科用修復物との嵌合係合が保存されるように、第二部分１２０からの材料の除去により調整可能である。第二部分１２０はショルダー形成され、ある幅を持つ。この幅は、第二部分１２０の設計のために材料をそこから除去するときに実質的に維持される。
【００４４】
歯科用インプラントの曲率の調整は、セラミック材料の調製工程から知られている研摩のような好適な材料除去工程によりなされる。軟組織の局所的解剖学的形状及び骨組織中への歯科用インプラントの配置の両者は各インプラント及び患者に対して独自のものである。例えば、歯科用インプラントは骨組織内に予め調製された骨組織中の凹所または孔中の骨組織中に挿入される。孔は例えばドリルガイドにより調製される。孔の位置は予め計画され、存在する骨の局所的解剖学的形状、神経、血管、骨空洞等の位置のような種々のパラメーターに依存する。
【００４５】
面取り部分１１４の冠状縁１２１は、口腔と軟組織の間の境界と一致する曲率を持つことが望ましい。二体片インプラントを持つとき、この境界の調整は、背景技術部分に述べられたように、特別に選ばれたアバットメントスペーサーによりなされることができる。
【００４６】
調整可能な曲率のおかげで、境界は特定の患者の局所的解剖学的形状及びインプラント状況に適合させることができる。調整は歯科用インプラント１の埋入時または埋入の前に患者の模型またはソフトウエア計画に基づいて口腔内でなされることができる。
【００４７】
セラミック歯科用インプラント１の調整は、セラミック歯科用修復物の通常の調製から知られている調製技術によりなされることができる。曲率を患者の特定の状況に対して調整するための好適なツールを含む調製キットが例えばＮｏｂｅｌ  Ｂｉｏｃａｒｅ  Ｐｒｏｃｅｒａ（登録商標）調製キット＃３２７１７として商業的に入手可能である。
【００４８】
埋入後、口腔内の歯科用インプラント１の印象が採取されることができる。この印象から、好適なデータが、例えば印象の三次元（３Ｄ）走査により、または印象からの模型鋳造により、歯科用インプラント１に取付けられる歯科用修復物の製造のために取得されることができる。印象を作るのに代えて、３Ｄ走査法が歯科用インプラント１から、特に特定の患者状況に適合している歯科用インプラント１の冠状縁１２１を含む第一部分１１０及びその面取り部分１１４から直接に３Ｄデータを取得するために使用されることができる。好適なタッチプローブスキャナーは、例えばＮｏｂｅｌ  Ｂｉｏｃａｒｅにより提供されるＰｒｏｃｅｒａ（登録商標）ＦｏｒｔｅスキャナーまたはＰｒｏｃｅｒａ（登録商標）Ｐｉｃｃｏｌｏスキャナーを含む。これに代えて、埋入前のまたは埋入後の口腔内の調製された歯科用インプラント１のいずれかからデータを取得するために３Ｄ光学スキャナーが使用されることができる。
【００４９】
このようにして得られた印象データは埋入後、おそらくヒーリング及びオッセオインテグレーション段階後に歯科用インプラント１に固定される歯科用修復物の製造のために使用されることができる。最終歯科用修復物の配達まで、一時的修復物が第一部分１１０に固定されることができる。最終歯科用修復物は好適な技術、例えば接着またはセメント接着により歯科用インプラント１に取付けられる。
【００５０】
かくして高度の一体化が上皮と第二部分１２０の外部表面との間に得られることができる。さらに、このようにしてセラミック歯科用インプラントが見えないが粘膜内に隠れている有利な美的効果が達成されかつ維持されることができる。さらに、もしどうにかすると見えるなら、歯科用インプラント１は歯科用修復物に似た色で提供されることができ、従って完成した歯科用埋入物の美的外観は好ましいものである。
【００５１】
頂端的に第二部分１２０に接触隣接する第三部分１３０は歯科用インプラント１の埋入時に連結軟組織に配置されるであろう。第三部分１３０は腰部形状であるかまたは内向きに狭くなっており、軟組織安定化を提供する。第三部分１３０は軟組織と骨組織の間の境界で頂端的に終り、そこで第四部分１４０は第三部分１３０に隣接する。
【００５２】
軟組織安定化は、腰部領域にテキスチャ表面を付加することによりさらに改善されることができる。従って、第三部分１３０の外部表面の表面粗さは第二部分１２０の外部表面の表面粗さより粗い。かかる表面の一例は本出願と同じ出願人のＷＯ２００５／０２７７７１に開示されたような多孔性被膜であり、それはその全体がここに組込まれる。ＷＯ２００５／０２７７７１に開示された多孔性または粗い表面は、当初は、以下に述べられる第四部分１４０に対応するセラミック歯科用インプラントの処理された部分の改善されたオッセオインテグレーションを提供する。しかし、多孔性表面はまた、歯科用インプラント１の第三部分１３０の表面に沿った連結軟組織との一体化を改善する。従って、かかる多孔性表面構造は第三部分１３０及び第四部分１４０上に設けられることができる。
【００５３】
歯科用インプラント１の連結軟組織との一体化を増大するためのさらなる方策は例えば内向きに狭くなったまたは腰部形状部分の溝または凹みの形の内向きに狭くなったまたは腰部形状部分と組み合わせて提供されることができる。
【００５４】
かくして高度の一体化が連結軟組織と第三部分１３０の外部表面との間に得られることができる。
【００５５】
歯科用インプラントの頂端１４２に向けて頂端的に第三部分に接触隣接する第四部分１４０は埋入時に骨組織に配置されるであろう。第四部分１４０はまた、歯科用インプラント１のフィクスチャー部分と呼ばれる。第四部分上に形成されたねじ山１４１は、歯科用インプラント１の周囲の骨組織の孔中への機械的取付けを提供する。
【００５６】
歯科用インプラント１は、歯科用アーチに沿った顎の後部位置に配置されるのに適している。これに代えて、歯科用インプラント１は歯科用アーチに沿った種々の位置に埋入するために適した汎用インプラントであることができる。
【００５７】
以下に、さらなる実施態様が説明されるであろうが、それは主として第二部分の違いにより上述の実施態様と異なる。歯科用インプラントの同様な部分または区域に属する要素は、それぞれ同一末尾を持つが特定の歯科用インプラントに相当する先導数字を持つ参照番号を備えている。例えば平坦表面２１２，３１２，４１２は平坦表面１１２に相当する。しかし、添付図面から明らかとなるように、要素は特定の実施態様に依存して異なる設計を持つことができる。
【００５８】
歯科用インプラントの第二実施態様は図２Ａ，２Ｂ，２Ｃ及び２Ｄに示される。歯科用インプラント２は、
歯科用修復物（図示せず）を歯科用インプラント２に嵌合係合するために歯科用インプラント２の冠状端２１１に配置され、かつ歯科用インプラント１の表面１１２に同様な機能を持つ真直ぐな表面２１２を含む第一部分２１０；及び
歯科用インプラント２の冠状端２１１から頂端的に配置されたショルダーの冠状縁２２１で第一部分２１０に接触隣接する第二部分２２０、但し第二部分２２０は歯科用インプラント２の埋入時に軟組織と上皮接触状態で配置されるように構成されている；
埋入時に連結組織内に配置されるように構成された第二部分１２０に頂端的に接触隣接する第三部分２３０；及び
ねじ山２４１を含みかつ埋入時に骨組織に配置されるように構成された歯科用インプラントの頂端２４２に向けて頂端的に第三部分に接触隣接する第四部分２４０；
を一体的に含む。
【００５９】
第一部分２１０と第二部分２２０の間のショルダーの冠状縁２２１を含む面取り部分２１４は、包囲する軟組織に対応するその高さを得るためにかつ歯科用修復物との嵌合係合が保持されるように第二部分２２０からの材料の除去により調整可能である。これは歯科用インプラント２の縦軸に実質的に平行に材料を除去することによりなされることができる。図２に見ることができるように、第二部分２２０はショルダー形成され、かつ歯科用インプラント２の縦軸に沿ってわずかに変化する幅を持つ。この幅は、第二部分２２０の設計のためにそこから材料を除去するときに実質的に維持される。代替的にまたは追加的に、歯科用インプラント２の歯科用印象は、患者のあつらえた面取り部分２１４に合致するための第一部分２１０に固定される歯冠の内部表面の適合性を提供するために作られることができる。
【００６０】
歯科用インプラント２の第二部分２２０は、歯科用インプラント２の腰部部分への移行部に歯科用インプラント２の縦軸に実質的に垂直に配向した真直ぐな頂端縁２２３を持つ。第一部分２１０から第二部分２２０への境界の冠状縁２２１並びに面取り部分２１４は曲がっている。より正確には、冠状縁２２１は谷と頂点を持ってスカラップ形状に仕上げられている。面取り部分２１４は、第一部分２１０の調整可能な部分２２２を形成するショルダーの最大直径から冠状端２１１に向けて面取りされている。従って、調整可能部分２２２は特定の患者の状況のために設けられる。調整可能部分２２２はある高さを持ち、それに沿って有利な方法で過剰な歯科用セメントが流下することができ、続いて容易に除去されることができる。
【００６１】
歯科用インプラント２は、歯科用アーチに沿って顎の後部位置に配置されるのに適している。これに代えて、歯科用インプラント１は、歯科用アーチに沿って種々の位置に埋入されるために適した汎用インプラントであることができる。
【００６２】
図３Ａ，３Ｂ，３Ｃ及び３Ｄによる本発明の別の実施態様では、歯科用インプラント３が提供される。一体片セラミック歯科用インプラント３が図３Ａ−３Ｄに示されている。歯科用インプラント３は、
歯科用修復物（図示せず）を歯科用インプラント３に嵌合係合するために歯科用インプラント３の冠状端３１１に配置された第一部分３１０；及び
歯科用インプラント３の冠状端３１１から頂端的に配置されたショルダーの冠状縁３２１で第一部分３１０に接触隣接する第二部分３２０、但し第二部分３２０は歯科用インプラント３の埋入時に軟組織と上皮接触状態で配置されるように構成されている；
埋入時に連結組織に配置されるように構成された第二部分３２０に頂端的に接触隣接する第三部分３３０；及び
埋入時に骨組織に配置されるように構成された歯科用インプラントの頂端３４２に向けて頂端的に第三部分に接触隣接する第四部分３４０；
を一体的に含む。
【００６３】
第一部分３１０と第二部分３２０の間のショルダーの冠状縁３２１を含む面取り部分３１４は、包囲する軟組織に対応するその高さを維持するためにかつ歯科用修復物との嵌合係合が保持されるように第二部分３２０からの材料の除去により調整可能である。上述のように、これは歯科用インプラント３の縦軸に実質的に平行に材料を除去することによりなされることができる。歯科用インプラント３の第二部分３２０に形成されたショルダーは規定された幅を持つので、この幅はそこから材料を除去するときに維持される。代替的にまたは追加的に、歯科用インプラント３の歯科用印象は、患者のあつらえた面取り部分３１４に合致するための第一部分３１０に固定される歯冠の内部表面の適合性を提供するために作られることができる。
【００６４】
歯科用インプラント３は少なくとも一つの頂点と少なくとも一つの谷を持つスカラップ形状に仕上げられた調整可能な表面３２２を持つ。歯科用インプラント３の腰部への移行部の頂端縁３２３並びに第一部分３１０から第二部分３２０への境界の冠状縁３２１は両者ともスカラップ形状に曲がっており、面取り部分３１４もスカラップ形状に曲がっている。従って、調整可能部分３２２は特定の患者の状況のために設けられる。第二部分３２０の直径は第四部分３４０の直径より小さく、従ってインプラント３はタイトな空間中への挿入のために適している。
【００６５】
歯科用インプラント３の第二部分３２０に形成されたショルダーは、第四部分３４０のねじ山３４１の外径を越えない直径を持つ。従って、歯科用インプラント３の設置は、ショルダーがインプラントが患者の骨組織内に予め調製された孔中にねじ込まれるのを妨げないので、容易にされる。ショルダーは、孔の稜を越えて孔中に第二部分３２０と共に少なくとも部分的にインプラントを埋めるのを望む場合に、孔の稜と係合しない。
【００６６】
歯科用インプラント３は歯科用アーチに沿って顎の側方の切歯位置に配置されるのに適している。
【００６７】
図４Ａ，４Ｂ，４Ｃ及び４Ｄは歯科用インプラント４のさらなる実施態様を示す。図４Ａ−４Ｄには一体片セラミック歯科用インプラント４が示されている。歯科用インプラント４は、
歯科用修復物（図示せず）を歯科用インプラント４に嵌合係合するために歯科用インプラント４の冠状端４１１に配置された第一部分４１０；及び
歯科用インプラント４の冠状端４１１から頂端的に配置されたショルダーの冠状縁４２１で第一部分４１０に接触隣接する第二部分４２０、但し第二部分４２０は歯科用インプラント４の埋入時に軟組織と上皮接触状態で配置されるように構成されている；
埋入時に連結組織に配置されるように構成された第二部分４２０に頂端的に接触隣接する第三部分４３０；及び
埋入時に骨組織内に配置されるように構成された歯科用インプラントの頂端４４２に向けて頂端的に第三部分に接触隣接する第四部分４４０；
を一体的に含む。
【００６８】
第一部分４１０とショルダーを形成された第二部分４２０の間の冠状縁４２１を含む面取り部分４１４は、第二部分４２０からの材料の除去により調整可能である。歯科用インプラント４の設計のおかげで、第二部分４２０の高さまたは曲率は、包囲する軟組織の高さまたは曲率に対応して、調整されることができる。さらに、歯科用修復物との嵌合係合は第二部分４２０からの材料除去後に保持される。
【００６９】
より正確には、歯科用インプラント４の第二部分４２０はスカラップ形状の調整可能な表面４２２を持つ。スカラップ形状の調整可能な表面４２２は二つの頂点と谷を持ち、それぞれ一つは頂端的に一つは冠状的に持つ。歯科用インプラント４の腰部への移行部の下方縁４２３並びに第一部分４１０から第二部分４２０への境界の上方縁４２１は両者とも曲がっており、面取り部分４１４も曲がっている。第二部分４２０は、上方縁４２１と下方縁４２３の間で、歯科用インプラント４の縦軸方向に真直ぐなその外部表面を持って延びる。このようにして二つの頂点と谷を持つスカラップ形状を持つ調整可能部分４２２が特定の患者の状況のために設けられる。第二部分４２０の直径は、第二部分４２０の形により提供されたショルダーが、縦方向で見ると第四部分４４０の外部境界を越えて突出するように、第四部分４４０のねじ山４４１の最大外径より大きい。
【００７０】
従って、ショルダーを形成された第二部分４２０の最大外径は孔のための最終調製器具の冠状端の直径を越える。従って、歯科用インプラント４を予め調製された孔に挿入するとき、歯科用インプラントは顎骨組織中の孔の稜をふさぐかもしれない。この状況を避けるためにかつ歯科用インプラント４の孔中への挿入を容易にするために、第四部分４４０のねじ山４４１の冠状端は次の要求を満たさなければならない。ねじ山の冠状端はプレパレーション（ｐｒｅｐａｒａｔｉｏｎ）の限界縁と腰部の冠状外部境界表面の間の交点に頂端的に設けられるべきである。この方法では、腰部部分の冠状部分が孔の稜または周囲の顎骨組織に対して接触するようにインプラントが調製された孔中に深くねじ込まれる。もしこの要求が満たされるなら、歯科用インプラント４のショルダーを形成された部分４２０は埋入時の歯科用インプラント４の回転運動４２０を制限しない。これは、ショルダーを形成された部分の最大外径が調製された孔の最大最終直径を越える全ての実施態様に対して準用される。
【００７１】
歯科用インプラント４は歯科用アーチに沿って顎の中心切歯位置に配置されるのに適している。
【００７２】
図２ａ−２ｄ，３ａ−３ｄ及び４ａ−４ｄに示された実施態様のような幾つかの実施態様において、第一部分２１０，３１０，４１０はインプラントの縦軸に対して曲がっている。第一ユニットは垂直軸を持つ切頭円錐形状をしたユニットを含むことができる。垂直軸は、切頭円錐形状をしたユニットの外部表面の円形部が少なくとも歯科用インプラントの縦軸に実質的に平行な部分にあるように歯科用インプラントの縦軸に対して曲げられることができる。切頭円錐形ユニットの外部表面の円形部に比べて歯科用インプラントの縦軸に対して第一部分の角度付けをさらに増大するために平坦表面が配置される。
【００７３】
歯科用インプラントの以下の寸法がここに開示され、そこでは以下に多数の例が本発明の範囲を限定することなく与えられている：
Ｄ１：歯科用インプラントのショルダーの最も外の点から測定したその最小直径での腰部の深さ；幾つかの実施態様では、Ｄ１は０．３５ｍｍまたは０．８５ｍｍのような０．３〜１ｍｍの範囲の寸法を持つことができる；
Ｄ２：幾つかの実施態様の歯科用インプラントの腰部の曲線部に移行するショルダーの真直ぐな部分の点から測定したその最小直径での腰部の深さ；幾つかの実施態様では、Ｄ２は０．５５ｍｍのような０．４４〜０．６６ｍｍの範囲の寸法を持つことができる；
Ｄ３：歯科用インプラントの第二部分のショルダーの最も外の点から測定したその最小直径での腰部の深さ；幾つかの実施態様ではＤ３はＤ１とほぼ同じ寸法を持つ；
Ｄ４：歯科用インプラントの第二部分のショルダーの最も外の点から歯科用インプラントの第四部分のねじ山の先端までで測定したショルダーの最下点で測定したショルダーの深さ；幾つかの実施態様では、Ｄ４は０．５ｍｍのような０．４〜０．６ｍｍの範囲の寸法を持つことができる；
Ｄ５：歯科用インプラントの第二部分のショルダーの最も外の点から歯科用インプラントの第四部分のねじ山の先端までで測定したショルダーの頂点で測定したショルダーの深さ；幾つかの実施態様では、Ｄ５は０．５ｍｍのような０．４〜０．６ｍｍの範囲の寸法を持つことができる；
Ｈ１：歯科用インプラントの第二部分の真直ぐな部分の最小高さ；幾つかの実施態様では、Ｈ１は０．４ｍｍのような０．３〜０．５ｍｍの範囲の寸法を持つことができる；
Ｈ２：歯科用インプラントの第二部分の真直ぐな部分の最大高さ；幾つかの実施態様では、Ｈ２は１．５ｍｍのような１．２〜１．８ｍｍの範囲の寸法を持つことができる；
Ｈ３：歯科用インプラントのスカラップ形状の第二部分の真直ぐな部分の最小高さ；幾つかの実施態様では、０．８ｍｍのような０．６〜１ｍｍの範囲の寸法を持つことができる；及び
Ｈ４：歯科用インプラントのスカラップ形状の第二部分の真直ぐな部分の最大高さ；幾つかの実施態様では、Ｈ４は１．２ｍｍのような０．８〜１．５ｍｍの範囲の寸法を持つことができる。
【００７４】
歯科用インプラントの第二部分は、実施態様によれば、１．６ｍｍのような０．２〜２ｍｍの高さを持つことができ、かつ第三部分の最も内側の直径から０．４ｍｍのような０．１〜１ｍｍで突出する。
【００７５】
図５ａには、歯科用インプラント５００及びそれに回転可能に錠止するためのツール５が示されている。歯科用インプラント５００は、図４に関して述べた歯科用インプラント４に対応する第二部分を持つ。
【００７６】
ツール５の軸５０１は、軸５０１を回転的に駆動する好適な作動ツールに取付けるための冠状取付け点５０２を含む。套管５０３は、ツール５の套管５０３の頂端縁５０４により歯科用インプラント５００の縁５２１に対して接触するように、歯科用インプラント５００の第一部分５１０の上に押されるように構成されている。套管５０３の内部は第一部分５１０の外部表面とかみ合う表面を持つ。歯科用インプラント５００はさらに、上述の実施態様の対応する部分と同様の第二部分５２０、第三部分５３０及び第四部分５４０を含む。この方法では、歯科用インプラント５００は、ツール５が歯科用インプラント５００に平坦表面及びかみ合い縁５０４，５２１の両者によって回転錠止されるので、有利にかつ効率的に回転させられることができる。
【００７７】
異なる形状をした第二部分を持つさらなるインプラント、及び異なる対応する套管を持つツールが図５ｂ−ｄに示されている。図５ｂに示されたインプラントは歯科用インプラント３に対応する。図５ｃに示されたインプラントは歯科用インプラント２に対応し、図５ｄに示されたインプラントは歯科用インプラント１に対応する。
【００７８】
ここで使用される、単数形「ａ」、「ａｎ」及び「ｔｈｅ」は、明白にそうでないと述べられないなら、なお複数形を含むことを意図している。さらに、用語「含む（ｉｎｃｌｕｄｅｓ）」、「含む（ｃｏｍｐｒｉｓｅｓ）」、「含む（ｉｎｃｌｕｄｉｎｇ）」及び／または「含む（ｃｏｍｐｒｉｓｉｎｇ）」は、この明細書で使用されるとき、述べられた特徴、整数、工程、操作、要素、及び／または構成要素の存在を特定するが、一つまたはそれより多い他の特徴、整数、工程、操作、要素、構成要素及び／またはそれらの群の存在または追加を排除しないことは理解されるであろう。要素が別の要素に「連結」または「結合」されているとして言及されるとき、それは他の要素に直接連結されまたは結合されることができ、または介在要素が存在することができることは理解されるであろう。ここで使用される用語「及び／または」は一つまたはそれより多い関連した掲げられたアイテムのいずれか及び全ての組み合わせを含む。
【００７９】
特記しない限り、ここに使用された全ての用語（技術的及び科学的用語を含む）は、この発明が属する当業者の一人により一般に理解されるのと同じ意味を持つ。さらに、一般に使用される辞書に規定されるような用語は関連技術の文脈においてそれらの意味と矛盾のない意味を持つものとして解釈されるべきであり、かつもし明白にそうであるとここに規定されないなら、理想化されたまたは過度に形式的な意味で解釈されないことは理解されるであろう。
【００８０】
本発明が特定の実施態様に関して上述された。しかし、上述された以外の他の実施態様が添付特許請求項により規定された発明の範囲内で均等に可能である。
【図１】
0005380431.tif 000002
【図２】
0005380431.tif 000003
【図３】
0005380431.tif 000004
【図４】
0005380431.tif 000005
【図５】
0005380431.tif 000006